(57)【特許請求の範囲】
【請求項１】
複数の第１配線と、
前記複数の第１配線と交差する複数の第２配線と、
前記第１配線と前記第２配線との交差領域に配置され、それぞれが第１端子および第２端子を有する複数のメモリ素子であって、前記第１端子は対応する第１配線に電気的に接続され、前記第２端子が対応する第２配線に電気的に接続された複数のメモリ素子と、
前記複数の第２配線に対応して配置された複数のヒューズ素子であって、それぞれ第３端子と第４端子を有し、前記第３端子が対応する第２配線に電気的に接続された複数のヒューズ素子と、
前記複数のヒューズ素子に対応して配置された複数の第１トランジスタであって、前記第１トランジスタのソースおよびドレインの一方が対応するヒューズ素子の第４端子に電気的に接続された複数の第１トランジスタと、
前記複数の第１トランジスタのゲートに電気的に接続された第３配線と、
前記第３配線に流れる電流を検知する電流検知回路と、
を備えた集積回路。
【請求項２】
複数の第１配線と、
前記複数の第１配線と交差する複数の第２配線と、
前記第１配線と前記第２配線との交差領域に配置され、それぞれが第１端子および第２端子を有する複数のメモリ素子であって、前記第１端子は対応する第１配線に電気的に接続され、前記第２端子が対応する第２配線に電気的に接続された複数のメモリ素子と、
前記複数の第２配線に対応して配置された複数の第１トランジスタであって、前記第１トランジスタのソースおよびドレインの一方が対応する第２配線に電気的に接続された複数の第１トランジスタと、
前記複数の第１トランジスタに対応して配置された複数のヒューズ素子であって、それぞれ第３端子と第４端子を有し、前記第３端子が対応する第１トランジスタのゲートに電気的に接続された複数のヒューズ素子と、
前記複数のヒューズ素子の第４端子に電気的に接続された第３配線と、
前記第３配線に流れる電流を検知する電流検知回路と、
を備えた集積回路。
【請求項３】
前記ヒューズ素子は、第４配線と、前記第４配線の両端にそれぞれ接続された端子と、を備えた請求項１または２記載の集積回路。
【請求項４】
前記ヒューズ素子はＭＯＳトランジスタであって、各ＭＯＳトランジスタのゲートと、ソースおよびドレインの少なくとも一つとのうちの一方が対応する第２配線に電気的に接続され、他方が前記第１トランジスタのソースおよびドレインの一方に電気的に接続された請求項１記載の集積回路。
【請求項５】
前記複数の第２配線に対応して配置され、前記第１トランジスタよりも高い耐圧を有する複数の第２トランジスタであって、各第２トランジスタはソースおよびドレインの一方が対応する第２配線に電気的に接続され、前記対応する第２配線は、対応する第１トランジスタと対応する第２トランジスタとの間に位置する、複数の第２トランジスタと、
前記複数の第１配線に対応して配置された複数の第３トランジスタであって、各第３トランジスタはソースおよびドレインの一方が対応する第１配線に電気的に接続された、複数の第３トランジスタと、
を更に備えた請求項１乃至４のいずれかに記載の集積回路。
【請求項６】
前記第１乃至第３トランジスタのゲートを制御するとともに、前記第１乃至第３配線にそれぞれ印加する電圧を制御するドライバと、
前記電流検知回路によって検知された電流が所定値と異なっている場合に前記複数の第１トランジスタのうちの少なくとも１つが不良と判定し、不良と判定した第１トランジスタに対応するヒューズ素子を破断するように前記ドライバを制御する制御回路と、
を更に備えた請求項５記載の集積回路。
【請求項７】
前記メモリ素子はトランジスタであって、ゲートと、ソースおよびドレインのうちの少なくとも一つとのうちの一方が対応する第１配線に電気的に接続され、他方が対応する第２配線に電気的に接続された請求項１乃至６のいずれかに記載の集積回路。
【請求項８】
前記メモリ素子は、第１および第２電極と、前記第１電極と前記第２電極との間に配置された抵抗変化層と、を備えた抵抗変化メモリ素子であって、前記第１電極が対応する第１配線に電気的に接続され、前記第２電極が対応する第２配線に電気的に接続された請求項１乃至６のいずれかに記載の集積回路。
【発明の詳細な説明】
【技術分野】
【０００１】
本発明の実施形態は、集積回路に関する。
【背景技術】
【０００２】
プログラマブルロジックスイッチは、論理演算回路や配線回路を再構成する必要のあるＦＰＧＡ(Field Programmable Gate Array)などに用いられ、メモリに保持されたデータに基づきロジックスイッチのオンおよびオフを切り替える素子である。従来は、そのメモリとしてＳＲＡＭをはじめとする揮発性メモリが使用されている。この揮発性メモリは、電源を切るとデータは消えるので、電源供給時には再度メモリへデータを書き込む必要があった。
【０００３】
ＦＰＧＡのアーキテクチャの一つとして、論理ブロック等との接続の配線をアンチヒューズとしたものがある。ＳＲＡＭなどを使用したＦＰＧＡとは異なり、データの書き換えはできないが、ＯＴＰ(One Time Programmable)メモリ素子を使用することで予期しないデータの変更を防ぐことができる。
【０００４】
例えば、ＯＴＰメモリ素子としてトランジスタを用いたクロスポイント型のアレイの構成は、同じ行に配列されたメモリ素子のゲートが接続されるゲート制御ラインと、同じ列に配列されたトランジスタのソースおよびドレインが接続されるアクティブエリアラインがクロス構造となり、ゲート制御ラインの一端から高耐圧のＰＭＯＳトランジスタを介して書き込みパルスを印加し、書き込むメモリ素子のアクティブエリアラインに接続された列選択トランジスタを介して０Ｖを入れる。このときゲート制御ラインのもう一端に接続された行選択トランジスタのソース端に書き込み電圧Ｖｐｒｇが印加されるので、行選択トランジスタは、通常のロジック動作を行うトランジスタと比べて寿命が短くなる可能性がある。
【０００５】
メモリ素子で誤破壊を起こした場合にそのメモリ素子が属する列のメモリ素子を捨て、余分に用意したメモリ素子の列と差し替えるリダンダンシー構造が知られている。このリダンダンシー構造のメモリにおいては、不良状態の行選択トランジスタがメモリ列と接続したままだと、リークにより読み出し信号の劣化もしくは２つ以上の不良状態の行選択トランジスタがあった場合にも行選択トランジスタのゲート線を介して誤った読み出し経路が形成され、誤動作を引き起こす可能性がある。
【先行技術文献】
【特許文献】
【０００６】
【特許文献１】米国特許出願公開第２０１１／０２９８０５４号明細書
【特許文献２】米国特許出願公開第２００７／０１８３１８１号明細書
【発明の概要】
【発明が解決しようとする課題】
【０００７】
本実施形態は、誤動作を抑制することのできるメモリ回路を備えた集積回路を提供する。
【課題を解決するための手段】
【０００８】
本実施形態による集積回路は、複数の第１配線と、前記複数の第１配線と交差する複数の第２配線と、前記第１配線と前記第２配線との交差領域に配置され、それぞれが第１端子および第２端子を有する複数のメモリ素子であって、前記第１端子は対応する第１配線に電気的に接続され、前記第２端子が対応する第２配線に電気的に接続された複数のメモリ素子と、  前記複数の第２配線に対応して配置された複数のヒューズ素子であって、それぞれ第３端子と第４端子を有し、前記第３端子が対応する第２配線に電気的に接続された複数のヒューズ素子と、前記複数のヒューズ素子に対応して配置された複数の第１トランジスタあって、前記第１トランジスタのソースおよびドレインの一方が対応するヒューズ素子の第４端子に電気的に接続された複数の第１トランジスタと、前記複数の第１トランジスタのゲートに電気的に接続された第３配線と、前記第３配線に流れる電流を検知する電流検知回路と、を備えている。
【図面の簡単な説明】
【０００９】
【図１】第１実施形態による集積回路を示す回路図。
【図２】第１実施形態の集積回路における書き込み動作、読み出し動作、ヒューズ素子の破断動作時の配線に印加される電圧の一例を示す図。
【図３】不良トランジスタの切り離し方向を示すフローチャート。
【図４】不良トランジスタの切り離し方法を示すフローチャート。
【図５】第２実施形態の集積回路における書き込み動作を説明する回路図。
【図６】第２実施形態の集積回路における読み出し動作を説明する回路図。
【図７】第２実施形態の集積回路におけるヒューズ素子の破断動作を説明する回路図。
【図８】第２実施形態の集積回路において用いられるヒューズ素子の一例を示す平面図。
【図９】第３実施形態による集積回路を示す回路図。
【図１０】第３実施形態の集積回路における書き込み動作を説明する回路図。
【図１１】第３実施形態の集積回路における読み出し動作を説明する回路図。
【図１２】第３実施形態の集積回路におけるヒューズ素子の破断動作を説明する回路図。
【図１３】第３実施形態の集積回路において用いられるヒューズ素子の一例を示す平面図。
【図１４】第３実施形態の集積回路におけるヒューズ素子のレイアウトの第１例を示す平面図。
【図１５】第３実施形態の集積回路におけるヒューズ素子のレイアウトの第２例を示す平面図。
【図１６】第３実施形態の集積回路におけるヒューズ素子のレイアウトの第３例を示す平面図。
【図１７】第４実施形態による集積回路を示す回路図。
【図１８】第４実施形態の集積回路における書き込み動作を説明する回路図。
【図１９】第４実施形態の集積回路における読み出し動作を説明する回路図。
【図２０】第４実施形態の集積回路におけるヒューズ素子の破断動作を説明する回路図。
【図２１】電流検知回路の第２例を示す回路図。
【図２２】電流検知回路の第３例を示す回路図。
【図２３】抵抗変化メモリ素子を示す断面図。
【発明を実施するための形態】
【００１０】
以下、図面を参照して、本発明の実施形態について説明する。
【００１１】
（第１実施形態）
第１実施形態による集積回路を図１に示す。この第１実施形態の集積回路は、例えば、多入力多出力ＭＵＸ（マルチプレクサ）回路のメモリアレイ回路に用いられ、３×３のアレイ状に配列されたメモリ素子１０１１〜１０３３を有するメモリアレイを備えている。各メモリ素子１０ｉｊ（ｉ，ｊ＝１，２，３）は、ＭＯＳトランジスタである。第ｊ（ｊ＝１，２，３）列のメモリセル１０１ｊ、１０２ｊ、１０３ｊはそれぞれ、ソースおよびドレインが配線２０ｊに接続される。この配線２０ｊ（ｊ＝１，２，３）は、列選択トランジスタ２４ｊを介してインバータ２２ｊの入力端子に接続される。インバータ２２ｊ（ｊ＝１，２，３）は、入力端子がワード線ＷＬｊに接続される。列選択トランジスタ２４ｊ（ｊ＝１，２，３）は、ゲートが配線２５に接続される。
【００１２】
また、第ｉ（ｉ＝１，２，３）行のメモリ素子１０ｉ１、１０ｉ２、１０ｉ３はそれぞれ、ゲートが配線３０ｉに接続される。この配線３０ｉ（ｉ＝１，２，３）の一端は高耐圧のｐチャネルＭＯＳトランジスタ３２ｉのドレインに接続され、他端はヒューズ素子３４ｉの一方の端子に接続される。トランジスタ３２ｉ（ｉ＝１，２，３）は、ソースがビット線ＢＬｉに接続され、ゲートが配線３３に接続される。ヒューズ素子３４ｉ（ｉ＝１，２，３）の他方の端子は、行選択トランジスタ３６ｉのソースに接続される。行選択トランジスタ３６ｉ（ｉ＝１，２，３）は、ドレインがインバータ３８ｉの入力端子に接続され、ゲートが配線３７に接続される。インバータ３８ｉ（ｉ＝１，２，３）の出力端子は、出力配線Ｏｕｔｉに接続される。
【００１３】
ワード線ＷＬ１〜ＷＬ３および配線２５はドライバ４２によって駆動され、ビット線ＢＬ１〜ＢＬ３および配線３３、３７はドライバ４６によって駆動される。また、本実施形態においては、電流検知回路５０と、制御回路６０とが設けられ、この電流検知回路５０は、配線３７に流れる電流を検知する。制御回路６０は、ドライバ４２およびドライバ４６を制御し、書き込み動作、または読み出し動作を行うとともに、電流検知回路５０によって検知された結果に基づいて不良である行選択トランジスタを見いだし、この不良の行選択トランジスタに接続するヒューズ素子の破断を行う。
【００１４】
（書き込み動作）
書き込みは、メモリ素子１０１１に書き込みを行う場合を例にとって説明する。この場合、ドライバ４６によって配線３３に電圧Ｖｏｎ１を印加しトランジスタ３２１〜３２３をオンにする。また、ドライバ４２によって配線２５に電圧Ｖｏｎ２を印加し列選択トランジスタ２４１〜２４３をオンにする。更に、ドライバ４６によって配線３７に電圧Ｖｏｎ３を印加し行選択トランジスタ３６１〜３６３をオンにする。この状態で、ビット線ＢＬ１に書き込み電圧（プログラム電圧）Ｖｐｒｇを印加し、ビット線ＢＬ２、ＢＬ３にそれぞれ書き込み禁止電圧Ｖｉｎｈ１を印加する。更に、配線２０１に０Ｖ、配線２０２、２０３に書き込み禁止電圧Ｖｉｎｈ１が印加されるように、ドライバ４２がワード線ＷＬ１、ワード線ＷＬ２、およびワード線ＷＬ３を駆動する。これにより、書き込みを行うメモリ素子１０１１のゲートと、ソースおよびドレインとの間には、書き込み電圧Ｖｐｒｇが印加され、書き込みが行われる。これに対して、メモリ素子１０１２、１０１３のそれぞれのゲートと、それぞれのソースおよびドレインとの間にはプログラム電圧Ｖｐｒｇよりも低い電圧（＝Ｖｐｒｇ−Ｖｉｎｈ１）が印加され、メモリ素子１０２１、１０３１のそれぞれのゲートと、それぞれのソースおよびドレインとの間にはプログラム電圧Ｖｐｒｇよりも低い電圧（Ｖｉｎｈ１）が印加され、メモリ素子１０２２、１０２３、１０３２、１０３３のゲートと、ソースおよびドレインとの間にはプログラム電圧よりも低い電圧（０Ｖ）が印加され、書き込みが行われない。このときの印加電圧の例を図２に示す。なお、本実施形態の集積回路においては、第１行のメモリ素子と同様に、第２行のメモリ素子および第３行のメモリ素子には高々１つのメモリ素子に書き込みが行われる。
【００１５】
（読み出し動作）
読み出しを行う場合は、ドライバ４６によって配線３３に電圧Ｖｏｆｆ１を印加しトランジスタ３２１〜３２３をオフにする。また、ドライバ４２によって配線２５に電圧Ｖｏｎ２を印加し列選択トランジスタ２４１〜２４３をオンにする。更に、ドライバ４６によって配線３７に電圧Ｖｏｎ３を印加し行選択トランジスタ３６１〜３６３をオンにする。また、ビット線ＢＬ１、ＢＬ２、ＢＬ３に印加する電圧をそれぞれＶｏｆｆ１とし、トランジスタ３２１〜３２３の基板にもＶｏｆｆ１を印加する。この状態で、ドライバ４２がワード線ＷＬ１、ＷＬ２、ＷＬ３を駆動し、配線２０１、２０２、２０３に読み出し電圧Ｖｒｅａｄ１、Ｖｒｅａｄ２、Ｖｒｅａｄ３をそれぞれ印加し、読み出しを行う。この読み出しの際の印加電圧の例を図２に示す。読み出し信号は、メモリ素子からヒューズ素子３４１〜３４３、行選択トランジスタ３６１〜３６３、およびインバータ３８１〜３８３を介して出力配線Ｏｕｔ１、Ｏｕｔ２、Ｏｕｔ３に送出される。
【００１６】
このように構成された本実施形態の集積回路においては、行選択トランジスタ３６１〜３６３のゲートに接続される配線３７に流れる電流を検知する電流検知回路５０を設け、更に行選択トランジスタ３６１〜３６３のそれぞれのドレインに接続してヒューズ素子３４１〜３４３を設けることで、行選択トランジスタ３６１〜３６３のうち不良が生じた行選択トランジスタを含む行を使用しないように集積回路からの切り離しを実現している。
【００１７】
ここでは、集積回路のメモリ素子は酸化膜破壊を利用したトランジスタによるＯＴＰメモリ素子である。この場合、配線３０１〜３０３と配線２０１〜２０３が交差し、この交差領域にメモリ素子が設けられるクロスポイント構造となる。配線３０１〜３０３のそれぞれの一端から高耐圧のｐチャネルＭＯＳトランジスタ３２１〜３２３を介して書き込みパルス（書き込み電圧）を印加し、情報を書き込むメモリ素子、例えばメモリ素子１０１１の配線２０１に列選択トランジスタ２４１を介して０Ｖを入れる。このとき、配線３０１のもう一端に接続されるトランジスタ３２１のソース端子に書き込み電圧Ｖｐｒｇが印加され、通常のロジック動作を行うトランジスタに比べて行選択トランジスタ３６１の寿命が短くなっていることが懸念される。このとき起こり得る不良として、行選択トランジスタ３６１のゲートとソースとの間の電流リークがある。不良を起こしている行選択トランジスタ３６１がメモリ列と接続したままの場合、電流リークにより読み出し信号の劣化、もしくは２つ以上の不良の行選択トランジスタがあった場合にはこの行選択トランジスタ３６１のゲート線を介して誤った読み出し経路が形成され、誤動作を引き起こす可能性がある。こういった背景から、本実施形態においては、不良の行選択トランジスタの切り離しを行う。
【００１８】
この不良トランジスタの切り離しは、ａ）読み出し時に経年劣化の有無を確認した場合、ｂ）書き込み時に生じる破壊を検知した場合の２通りの場合がある。
【００１９】
まず、読み出し時に経年劣化の有無を確認する場合の手順について図３を参照して説明する。この経年劣化の有無はある一定期間ごとに行う。
【００２０】
この場合、読み出し時に行選択トランジスタ３６１〜３６３がオンになるようにそれぞれのゲートが接続される配線３７にドライバ４６によって電圧Ｖｏｎ３を印加する。例えば、３つのＯＴＰメモリ素子１０１１、１０２２、２０３３に書き込みが行われ、行選択トランジスタ３６２のゲートとソースとの間に経年変化により電流リークが発生したとする。このとき、行選択トランジスタ３６２のゲート配線３７に設けられた電流値を監視するための電流検知回路５０で電流増加の有無を確認する（図３のステップＳ１、Ｓ２）。ここで、検知した電流値が書き込み前と同等もしくは、読み出し信号のオフ時と同等の信号レベルであれば、ステップＳ３に進み通常の動作を行う。しかし、この検知結果により、リーク電流の増加が見受けられた場合、リーク箇所の特定を行う（ステップＳ４）。不良箇所の特定は読み出し経路を１つずつ順に行うことで可能である。
【００２１】
本実施形態では、出力端子の数（すなわち、行選択トランジスタ３６１〜３６３の数）が３つであることから、３通りの経路で、行選択トランジスタ３６１〜３６３の破壊箇所の特定動作を実施する。例えば、行選択トランジスタ３６１の不具合の有無の確認を行う場合は、メモリ素子１０１１には書き込みが行われていることから、ワード線ＷＬ１に入力信号を入力し、その他のワード線ＷＬ２、ＷＬ３はフローティングにする。更に、出力配線Ｏｕｔ１は０Ｖとして、その他の出力配線Ｏｕｔ２、Ｏｕｔ３はフローティングとする。これにより、行選択トランジスタ３６１の不具合の有無、すなわちリーク電流の有無の確認が行われる。
【００２２】
トランジスタ３６２、３６３に関しても同様にリーク電流の有無の確認を行なう。ここまでの過程で不良のトランジスタ、例えば行選択トランジスタ３６２が特定される。
【００２３】
続いて、不良のトランジスタ３６２を使用不可とするために、ワード線ＷＬ２と出力端子Ｏｕｔ２との間の信号パスを遮断するため、メモリアレイの行方向の端部と行選択トランジスタ３６２のソース端にあるヒューズ素子３４２を切る（図３のステップＳ５）。このときの印加電圧の例を図２に示す。すなわち、ヒューズ素子３４２を破断させる場合は、ドライバ４６によって配線３３に電圧Ｖｏｎ１を印加し、トランジスタ３２１〜３２３をオンにする。また、ドライバ４２によって配線２５に電圧Ｖｏｎ２を印加し、列選択トランジスタ２４１〜２４３をオンにする。更に、ドライバ４６によって配線３７に印加される電圧を０Ｖにし、行選択トランジスタ３６１〜３６３をオフにする。また、ドライバ４６によってビット線ＢＬ２に電圧Ｖｆ＿ｂｒｅａｋを印加し、他のビット線ＢＬ１、ＢＬ３をフローティングとする。一方、ドライバ４２によってワード線ＷＬ１、ＷＬ２、ＷＬ３を駆動し、配線２０１、２０２、２０３にそれぞれ書き込み禁止電圧Ｖｉｎｈ２を印加する。これにより、ヒューズ素子３４２に電圧Ｖｆ＿ｂｒｅａｋが印加され、破断される。
【００２４】
次に、不良の行選択トランジスタ、例えば行選択トランジスタ３６２が接続されたヒューズ素子３４２を破断後、ステップＳ１に戻り、通常の読み出し動作を行ない、このときの行選択トランジスタのゲート配線に流れる電流を再度モニタし、正常な値になっているか否かを判定する（図３のステップＳ１、Ｓ２）。正常な値となっていれば、通常の動作モードに移行し（図３のステップＳ３）する。まだ問題があるようであれば、再び不良の行選択トランジスタの特定作業を行う（図３のステップＳ４）。この検査する手順は、多入力多出力ＭＵＸ回路の規模によらず用いることができ、さらに、複数の不良の行選択トランジスタがある場合についても対応が可能である。
【００２５】
次に、図４を参照して書き込み時に生じる破壊を検知する場合の手順について説明する。
【００２６】
メモリ素子への書き込みは１行ずつ実施し、このときの行方向選択トランジスタのゲート電流を電流検知回路５０でモニタする（図４のステップＳ１１）。検知した電流が正常か否かを判定し（ステップＳ１２）、正常の場合は、ステップＳ１１に戻り、次の書き込みを行う。検知した電流が正常でない場合は、リーク電流が増加したときに書き込みを行ったメモリ素子と同行の行選択トランジスタが壊れたと判定し、この行選択トランジスタが接続される行のヒューズ素子を破断する（図４のステップＳ１２）。例えば、第２行のメモリ素子１０２２に書き込みを行い、このときリーク電流が増加したと電流検知回路５０によって検知された場合は、ヒューズ素子３４２を破断する。このヒューズ素子の破断は、前述したと同様に行う。その後、ステップＳ１１に戻り同様の動作を繰り返す、
そのため、前記の読み出し時に実施するフローに比べて、不良トランジスタのある行を見つけるというフローが不要である。
【００２７】
また、不良選択トランジスタの位置を特定するタイミングの違いによりヒューズの破断が変わることはない。いずれのフローでも同様に実施することができる。
【００２８】
ここで用いるヒューズ素子の例を図３、図４に示す。図３は４端子制御のヒューズ、図４は２端子制御のヒューズである。図３に示した４端子制御のヒューズを用いる場合については、後述する。また、図４に示した２端子のヒューズに関しては、ここではポリＳｉヒューズを想定して図示しているが、メタルヒューズ、ダイオードの接合破壊等でも可能である。
【００２９】
以上説明したように、第１実施形態によれば、不良の行選択トランジスタが接続された行のメモリ素子をメモリ素子アレイから切り離すことが可能となり、誤動作を抑制することが可能なメモリ回路を備えた集積回路を提供することができる。
【００３０】
なお、第１実施形態および後述する各実施形態においては、メモリ素子のゲートが配線３０１〜３０３のうちの対応する配線に接続され、ソースおよびドレインが配線２０１〜２０３のうちの対応する配線に接続されていた。ゲートが配線３０１〜３０３のうちの対応する配線に接続され、ソースおよびドレインの一方が配線２０１〜２０３のうちの対応する配線に接続されていてもよい。また、ゲートが配線２０１〜２０３のうちの対応する配線に接続され、ソースおよびドレインの一方が配線３０１〜３０３のうちの対応する配線に接続されていてもよい。
【００３１】
（第２実施形態）
第２実施形態による集積回路を図５乃至図８を参照して説明する。図５は第２実施形態の集積回路における書き込み動作を説明する図、図６は読み出し動作を説明する図、図７はヒューズ素子を破断させる動作を説明する図、図８はヒューズ素子の一例を示す図である。この第２実施形態の集積回路は、図１に示す第１実施形態の集積回路において、電流検知回路５０を電流検知回路５０Ａに置き換えた構成を有している。なお、図５乃至図７においては、説明を簡単にするため、図１に示すドライバ４２、４６は図示していない。
【００３２】
この電流検知回路５０Ａは、配線３７に直列に配置された抵抗５２と、この抵抗５２の両端の電位差を検知し増幅する増幅回路５４と、増幅回路５４によって検知された電位差に基づいて基準値と比較し、配線３７を流れる電流が正常であるか否かを判定する比較回路５６と、を備えている。制御回路６０は、比較回路５６における判定結果に基づいて、ヒューズ素子の破断を行うように図１に示すドライバ４２、４６を制御する。なお、抵抗５２の値は検知する電流範囲に合わせて調整する。また、抵抗５２はトランジスタに置き換えてもよい。
【００３３】
（書き込み動作）
第２実施形態の集積回路における書き込み動作時の各配線に印加される電圧は図５に示す通りである。書き込み動作は、第１実施形態で説明した場合と基本的には同じとなる。例えば、メモリ素子１０１１に書き込みを行う場合は、ビット線ＢＬ１にプログラム電圧Ｖｐｒｇを印加し、トランジスタ３２１がオンとなるよう配線３３に印加する電圧を調整する。更に、メモリ素子１０１１に書き込むために、ドライバ４２によってワード線ＷＬ１に、ＷＬ２、ＷＬ３を駆動し、配線２０１、２０２、２０３にそれぞれ、０Ｖ、書き込み禁止電圧Ｖｉｎｈ１を印加する。このとき、電流検知の必要がないため、行方向選択トランジスタ３６１はオン状態でもオフ状態でもよい。
【００３４】
（読み出し動作）
第２実施形態の集積回路における読み出し動作時の各配線に印加される電圧は図６に示す通りである。このとき、トランジスタ３２１〜３２３をオフにするため、配線３３およびビット線ＢＬ１〜ＢＬ３ならびに基板に電圧Ｖｏｆｆ１を印加する。更に、読み出し信号は、ワード線ＷＬ１〜ＷＬ３から入力されるので、列選択トランジスタ２４１〜２４３をオンにするため、配線２５に電圧Ｖｏｎ２（＞０Ｖ）を印加する。また、行選択トランジスタ３６１〜３６３をオンにするため、配線３７に電圧Ｖｏｎ３（＞０Ｖ）を印加する。電圧Ｖｏｎ３は抵抗５２によって電圧降下する分を考慮したうえで行選択トランジスタ３６１〜３６３のゲート電圧がＶＤＤ電圧となるように調整する。そして、信号読み見出し動作中に、抵抗５２に流れる電流の検知を電流検知回路５０Ａによって同時に行う。この動作を１つの出力経路毎に実施する。
【００３５】
（ヒューズ素子の破断動作）
第２実施形態の集積回路におけるヒューズ素子の破断動作を行う場合に各配線に印加される電圧は図７に示す通りである。なお、図７は、行選択トランジスタ３６２が不良であり、ヒューズ素子３４２を破断する場合の各配線に印加される電圧を示す。ヒューズ素子の破断は、電流検知動作によって不良動作をしている行選択トランジスタの場所が確定した後に行う。不良が確定した行選択トランジスタが、例えば行選択トランジスタ３６２であった場合、破断させるヒューズ素子は３４２となる。
【００３６】
第２実施形態では、ヒューズ素子３４１〜３４３は２端子素子であり、ある一定以上の電流を流すことでヒューズ素子を破断することができる。この２端子のヒューズ素子の一例を図８に示す。このヒューズ素子３４は、２つの端子３４ａ、３４ｂと、これらの端子の間に配置されこれらの端子３４ａ、３４ｂを接続する例えばポリシリコンからなる経路３４ｃと、を備えている。各端子にはそれぞれ、配線３０１〜３０３の一つと、行選択トランジスタ３６１〜３６３の対応する一つを接続するためのコンタクト３４ｄが少なくとも１つ設けられている。
【００３７】
ヒューズ素子３４２を破断させる場合、破断に必要な電流量を流すのに十分な電圧Ｖｆ＿ｂｒｅａｋをビット線ＢＬ２に図１に示すドライバ４６によって印加し、ｐチャネルトランジスタのゲート電圧もフルオープンもしくはヒューズ素子３４２が破断に十分な電流を確保できるだけの値にする必要がある。そして、このヒューズ素子の破断のための電流の経路は、ビット線ＢＬ２より電圧を入力し、ヒューズ素子３４２を通り、不良状態の行選択トランジスタ３６２のゲートへと抜け、配線３７に印加する電圧を０Ｖとすることで配線３７に電流が流れ込む。行選択トランジスタ３６２は、この時点ではゲートとソースとの間でパスができていることから、このような破断のため電流を流すパスが存在することになる。
【００３８】
ヒューズ素子３４２を破断することで不具合を起こした行選択トランジスタ３６２はメモリ行から切り離され、配線３０２に接続されたメモリ素子１０１２、１０２２、１０２３は使用しないようにプログラムする。
【００３９】
以上説明したように、第２実施形態によれば、不良の行選択トランジスタが接続された行のメモリ素子をメモリ素子アレイから切り離すことが可能となり、誤動作を抑制することが可能なメモリ回路を備えた集積回路を提供することができる。
【００４０】
（第３実施形態）
第３実施形態による集積回路を図９乃至図１２を参照して説明する。図９は第３実施形態の集積回路を示す回路図、図１０は第３実施形態の集積回路における書き込み動作を説明する図、図１１は読み出し動作を説明する図、図１２はヒューズ素子を破断させる動作を説明する図である。
【００４１】
この第３実施形態の集積回路は、図５に示す第２実施形態の集積回路において、ヒューズ素子３４１〜３４３をそれぞれヒューズ素子３５１〜３５３に置き換えた構成を有している。なお、図９乃至図１２においては、説明を簡単にするため、図１に示すドライバ４２、４６は図示していない。
【００４２】
ヒューズ素子３５ｉ（ｉ＝１，２，３）はＭＯＳトランジスタであり、ソースおよびドレインが共通の配線３８に接続され、ゲートがメモリセルアレイ内の配線３０ｉに接続される。
【００４３】
（書き込み動作）
第３実施形態の集積回路における書き込み動作時の各配線に印加される電圧は図１０に示す通りである。書き込み動作は、第１実施形態で説明した場合と基本的には同じとなる。例えば、メモリ素子１０２２に書き込みを行う場合は、ビット線ＢＬ２にプログラム電圧Ｖｐｒｇを印加し、トランジスタ３２２がオンとなるよう配線３３に印加する電圧を調整する。図１０では、配線３３に電圧Ｖｃｏｍｐ１（例えば０Ｖ）が印加される。このとき、トランジスタ３２２の基板電圧はプログラム、電圧Ｖｐｒｇ以上にする。なお、他のビット線ＢＬ１、ＢＬ３には、書き込み禁止電圧Ｖｉｎｈを印加する。更に、メモリ素子１０２２に書き込むために、メモリ素子１０２２のソースおよびドレインが接続された配線２０２に０Ｖが印加され、他の配線２０１、２０３に書き込み禁止電圧Ｖｉｎｈ（＞０Ｖ）を印加されるように、ドライバ４２によってワード線ＷＬ１、ＷＬ２、ＷＬ３を駆動する。
【００４４】
また、ヒューズ素子３５１〜３５３も破断防止のためにソースおよびドレインに接続する配線３８に書き込み禁止電圧Ｖｉｎｈ（＞０Ｖ）を印加する。なお、行選択トランジスタ３６１〜３６３がオンとなるように配線３７には電圧Ｖｃｏｍｐ２が印加される。このとき、出力配線Ｏｕｔ１〜Ｏｕｔ３はフローティングとする。
【００４５】
（読み出し動作）
第３実施形態の集積回路における読み出し動作時の各配線に印加される電圧は図１１に示す通りである。このとき、トランジスタ３２１〜３２３をオフにするため、配線３３およびビット線ＢＬ１〜ＢＬ３ならびに基板に電圧Ｖｏｆｆ２を印加する。更に、読み出し信号は、ワード線ＷＬ１〜ＷＬ３から入力されるので、列選択トランジスタ２４１〜２４３をオンにするため、配線２５に電圧Ｖｏｎ２（＞０Ｖ）を印加する。また、行選択トランジスタ３６１〜３６３をオンにするため、配線３７に電圧Ｖｏｎ３（＞０Ｖ）を印加する。この電圧Ｖｏｎ３は抵抗５２によって電圧降下する分を考慮したうえで行選択トランジスタ３６１〜３６３のゲート電圧がＶＤＤ電圧となるように調整する。そして、信号読み見出し動作中に、抵抗５２に流れる電流の検知を電流検知回路５０Ａによって同時に行う。この動作を１つの出力経路毎に実施する。
【００４６】
（ヒューズの破断動作）
第３実施形態の集積回路におけるヒューズ素子の破断動作を行う場合に各配線に印加される電圧は図１２に示す通りである。なお、図１２は、行選択トランジスタ３６２が不良であり、ヒューズ素子３５２を破断する場合の各配線に印加される電圧を示す。ヒューズ素子の破断は、電流検知動作によって不良動作をしている行選択トランジスタの場所が確定した後に行う。不良が確定した行選択トランジスタが、例えば行選択トランジスタ３６２であった場合、破断させるヒューズ素子は３４２となる。
【００４７】
第３実施形態では、ヒューズ素子３５１〜３５３は４端子素子である。４端子を有する一例のヒューズ素子は図１３に示すようにトランジスタ型ヒューズ素子であり、半導体層３５ｊに離間して配置されたソース３５ａおよびドレイン３５ｂと、ソース３５ａとドレイン３５ｂとの間の半導体層上に配置されたゲート３５ｃと、ゲート３５ｃと半導体層３５ｊとの間に配置されたゲート絶縁層３５ｄと、ゲート３５ｃの両端に配置された端子３５ｅ、３５ｆと、を備えている。ソース３５ａおよびドレイン３５ｂにはそれぞれ、コンタクト３５ｇが配置され、端子３５ｅ、３５ｆにはそれぞれコンタクト３５ｈ、３５ｉが配置されている。ソース３５ａおよびドレイン３５ｂに配置されたコンタクト３５ｇは図１２に示す配線３８に接続される。端子３５ｅに配置されたコンタクト３５ｈは図１２に示す配線３０１〜３０３のうちの対応する一つの配線に接続され、端子３５ｆに配置されたコンタクト３５ｉは、行選択トランジスタ３６１〜３６３のうちの対応する一つのトランジスタのドレインに接続される。
【００４８】
このヒューズ素子３５は、ゲート絶縁層３５ｄの破壊に加え、このゲート絶縁層３５ｄの破壊によってできたゲート３５ｃとソース３５ａと間およびゲート３５ｃとドレイン３５ｂとの間に、ある一定以上の電流を流すことで、ゲート３５ｃを破断することでヒューズとしての役割を担う。
【００４９】
ヒューズ素子３５２を破断させる場合、破断に必要な電流量を流すのに十分な電圧Ｖｐｒｇ２をビット線ＢＬ２に印加し、トランジスタ３２２のゲートに印加する電圧もフルオープンもしくはヒューズ素子３５２の破断に十分な電流を確保できるだけの値、例えばＶｃｏｍｐ１（例えば、０Ｖ）にする必要がある。そして、このヒューズ素子３５２の破断のための電流の経路は、ビット線ＢＬ２より電圧を入力し、ヒューズ素子３５２のゲートからゲート絶縁層の破壊によるリークパスを通り、ヒューズ素子３５２ソースとドレインに接続した配線３８につながる。ここで配線３８には０Ｖを印加し、ヒューズ素子３５２を介してビット線ＢＬ２と配線３８との間に流れる電流により、ヒューズ素子３５２のゲートを破断する。
【００５０】
このようにしてヒューズ素子３５２を破断することで不具合を起こした行選択トランジスタ３６２はメモリセルアレイから切り離され、配線３０２に接続されたメモリ素子１０２１、１０２２、１０２３は使用しないようプログラムする。
【００５１】
第３実施形態では、多入力多出力ＭＵＸのメモリアレイは、ゲート絶縁層の破壊を利用したＯＴＰメモリ素子を用いた場合について説明した。しかし、クロスポイント型のメモリアレイとして、２つの電極の間に抵抗変化層が配置された抵抗変化型メモリ素子を用いた場合も、上述したと同様の動作で不良選択トランジスタを分離することができる。
【００５２】
（トランジスタ型ヒューズ素子のレイアウト例）
次に、第３実施形態に用いた４端子のトランジスタ型ヒューズ素子のレイアウトの第１乃至第３例をそれぞれ図１４乃至図１６に示す。いずれもメモリ素子列を２列、ヒューズ素子列を１列とした３行のメモリ素子およびヒューズ素子のアレイである。ここで、配線３０１〜３０３はポリシリコンによるゲート配線であり、符号１２２〜１２３はメモリ素子のソースおよびドレインとなるアクティブエリアを示し、符号１４はトランジスタ型ヒューズ素子３５１〜３５３のアクティブエリアを示す。ここで、アクティブエリア１２２、１２３とゲート配線３０１〜３０３との交差領域がメモリ素子となるメモリトランジスタ１０１２、１０１３、１０２２、１０２３、１０３２、１０３３であり、アクティブエリア１４とゲート配線３０１〜３０３との交差領域がトランジスタ型ヒューズ素子３５１〜３５３となる。
【００５３】
図１４に示すトランジスタ型ヒューズ素子３５１〜３５３は、メモリトランジスタ１０１２〜１０３３のゲート幅（Ｗｍ）と比べてゲート幅（Ｗｆ）が広い。すなわち、Ｗｆ＞Ｗｍとなっている。
【００５４】
また、図１５に示すトランジスタ型ヒューズ素子３５１〜３５３は、メモリ素子アレイとヒューズ素子との間のポリシリコン配線の一部を細くすることで、ゲート破断を促進する構造となっている。
【００５５】
更に、図１６に示すトランジスタ型ヒューズ素子３５１〜３５３は、メモリ素子アレイとヒューズ素子との間のポリシリコン配線の一部にスリットを入れることで、ゲート破断を促進する構造となっている。
【００５６】
以上説明したように、第３実施形態によれば、不良の行選択トランジスタが接続された行のメモリ素子をメモリ素子アレイから切り離すことが可能となり、誤動作を抑制することが可能なメモリ回路を備えた集積回路を提供することができる。
【００５７】
なお、第３実施形態においては、ヒューズ素子３５のゲートが配線３０１〜３０３のうちの対応する配線に接続され、ソースおよびドレインが配線３８に接続されていた。ゲートが配線３０１〜３０３のうちの対応する配線に接続され、ソースおよびドレインの一方が配線３８に接続されていてもよい。また、ゲートが配線３８に接続され、ソースおよびドレインの一方が配線３０１〜３０３のうちの対応する配線に接続されていてもよい。
【００５８】
（第４実施形態）
第４実施形態による集積回路を図１７乃至図２０を参照して説明する。図１７は第４実施形態の集積回路を示す回路図、図１８は第４実施形態の集積回路における書き込み動作を説明する図、図１９は読み出し動作を説明する図、図２０はヒューズ素子を破断させる動作を説明する図である。
【００５９】
この第４実施形態の集積回路は、図５に示す第２実施形態の集積回路において、ヒューズ素子３４ｉ（ｉ＝１，２，３）の第１端子を配線３７に接続し、第２端子を対応する行選択トランジスタ３６ｉのゲートに接続した構成を有している。この第４実施形態においては、ヒューズ素子３４ｉ（ｉ＝１，２，３）の破断は、第３実施形態で説明した場合と同様の方法を用いて行う。
【００６０】
（書き込み動作）
第４実施形態の集積回路における書き込み動作時の各配線に印加される電圧は図１８に示す通りである。書き込み動作は、第１実施形態で説明した場合と基本的には同じとなる。例えば、メモリ素子１０２２に書き込みを行なう場合、トランジスタ３２２をオンにするため、配線３３には電圧Ｖｃｏｍｐ１（例えば０Ｖ）を印加し、書き込みを行なうメモリ素子１０２２を含む行に接続されるビット線ＢＬ２には書き込み電圧Ｖｐｒｇを印加する。このとき、トランジスタ３２２の基板電圧はＶｐｒｇ以上とする。更に、メモリ素子１０２２のソースとドレインが接続される配線２０２に０Ｖが印加され、配線２０１、２０３に書き込み禁止電圧Ｖｉｎｈ（＞０Ｖ）が印加されるように、ドライバ４２によってワード線ＷＬ１、ＷＬ２、ＷＬ３を駆動する。また、ヒューズ素子３４１〜３４３も破断防止のために配線３７にＶｃｏｍｐ２（＞０Ｖ）を印加する。このとき、出力配線Ｏｕｔ１〜Ｏｕｔ３はフローティングとする。
【００６１】
（読み出し動作）
第４実施形態の集積回路における読み出し動作時の各配線に印加される電圧は図１９に示す通りである。このとき、トランジスタ３２１〜３２３をオフにするため、配線３３およびビット線ＢＬ１〜ＢＬ３ならびに基板に電圧Ｖｏｆｆ２を印加する。更に、読み出し信号は、ワード線ＷＬ１〜ＷＬ３から入力されるので、列選択トランジスタ２４１〜２４３をオンにするため、配線２５に電圧Ｖｏｎ２（＞０Ｖ）を印加する。また、行選択トランジスタ３６１〜３６３をオンにするため、配線３７に電圧Ｖｏｎ３（＞０Ｖ）を印加する。この電圧Ｖｏｎ３は抵抗５２によって電圧降下する分を考慮したうえで行選択トランジスタ３６１〜３６３のゲート電圧がＶＤＤ電圧となるように調整する。そして、信号読み見出し動作中に、抵抗５２に流れる電流の検知を電流検知回路５０Ａによって同時に行う。この動作を１つの出力経路毎に実施する。
【００６２】
（ヒューズの破断動作）
第４実施形態の集積回路におけるヒューズ素子の破断動作を行う場合に各配線に印加される電圧は図２０に示す通りである。なお、図２０は、行選択トランジスタ３６２が不良であり、ヒューズ素子３４２を破断する場合の各配線に印加される電圧を示す。ヒューズ素子の破断は、電流検知動作によって不良動作をしている行選択トランジスタの場所が確定した後に行う。不良が確定した行選択トランジスタが、例えば行選択トランジスタ３６２であった場合、破断させるヒューズ素子は３４２となる。
【００６３】
なお、第４実施形態では、不良となっている行選択トランジスタも含めてヒューズ素子として扱い、第３実施形態と同様のヒューズ破断方法を用いる。
【００６４】
例えば、ヒューズ素子３４２を破断させる場合、破断に必要な電流量を流すのに十分な電圧Ｖｐｒｇ２をビット線ＢＬ２に印加し、トランジスタ３２２のゲートに印加する電圧もフルオープンもしくはヒューズ素子３４２の破断に十分な電流を確保できるだけの値、例えばＶｃｏｍｐ１（例えば、０Ｖ）にする必要がある。そして、このヒューズ素子３４２の破断のための電流の経路は、ビット線ＢＬ２より電圧を入力する。このヒューズ素子３４２の破断のための電流の経路は、既に不良となっている行選択トランジスタ３６２によりゲートとドレインとの間に電流リークが発生しているリークパスを介して、配線３７に０Ｖを印加することでヒューズ素子３４２が破断する。これにより、行選択トランジスタ３６２はゲートが破断されるためにフローティング状態になることにより、行選択トランジスタ３６２を介して配線Ｏｕｔ２へは十分な信号が通らなくなる。そのため、ヒューズ素子３４２を破断後は、不具合を起こした行選択トランジスタ３６２はメモリセルアレイから切り離され、配線３０２に接続されたメモリ素子１０２１、１０２２、１０２３は使用しないようプログラムする。
【００６５】
第４実施形態では、多入力多出力ＭＵＸのメモリアレイは、ゲート絶縁層の破壊を利用したＯＴＰメモリ素子を用いた場合について説明した。しかし、クロスポイント型のメモリアレイとして、２つの電極の間に抵抗変化層が配置された抵抗変化型メモリ素子を用いた場合も、上述したと同様の動作で不良選択トランジスタを分離することができる。
【００６６】
以上説明したように、第４実施形態によれば、不良の行選択トランジスタが接続された行のメモリ素子をメモリ素子アレイから切り離すことが可能となり、誤動作を抑制することが可能なメモリ回路を備えた集積回路を提供することができる。
【００６７】
（電流検知回路の他の例）
次に、第１乃至第４実施形態に用いられる電流検知回路の第２例を図２１に示す。この電流検知回路５０Ｂは、図５に示す第２実施形態の第１例の電流検知回路５０Ａにおいて、抵抗５２の第１端子と接地ＧＮＤとの間に直列に接続された抵抗５３ａ、５３ｂと、抵抗５２の第２端子と増幅器５４の出力端子との間に直列に接続された抵抗５３ｃ、５３ｄとを備えている。増幅器５４の正入力端子には、抵抗５３ａ、５３ｂによって分圧された電圧が入力され、増幅器５４の負入力端子には抵抗５３ｃ、５３ｄよって分圧された電圧が入力される。
【００６８】
このように構成された第２例の電流検知回路５０Ｂも第１例の電流検知回路５０Ａと同様に、配線３７に流れる電流の増加の有無を確認することができる。
【００６９】
次に、第１乃至第４実施形態に用いられる電流検知回路の第３例を図２２に示す。この電流検知回路５０Ｃは、図５に示す第２実施形態の第１例の電流検知回路５０Ａにおいて、抵抗５２、増幅回路、および比較回路５６の代わりに、配線３７に流れる電流を検知するカレントミラー回路５１と、ヒューズ素子５５と、比較器５７と、設けた構成を有している。ヒューズ素子５５はカレントミラー回路５１の出力端子と、比較器５７の正入力端子との間に配置される。比較器５７の出力が制御回路６０に送出される。
【００７０】
このように構成された第３例の電流検知回路５０Ｂも第１例の電流検知回路５０Ａと同様に、配線３７に流れる電流の増加の有無を確認することができる。
【００７１】
なお、第１乃至第４実施形態においては、多入力多出力ＭＵＸのメモリアレイは、酸化膜の破壊を利用したＯＴＰメモリ素子を用いた場合について説明した。しかし、クロスポイント型のメモリアレイとして、図２３に示すように、２つの電極７２、７４の間に抵抗変化層７６が配置された抵抗変化型メモリ素子７０を用いた場合も、上述したと同様の動作で不良選択トランジスタを分離することができる。この場合、電極７２は配線２０１〜２０３のうちの対応する一つに接続され、電極７４は配線３０１〜３０３のうちの対応する一つに接続される。
【００７２】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００７３】
１０１１〜１０３３・・・メモリ素子、２０１〜２０３・・・列配線、２２１〜２２３・・・インバータ、２４１〜２４３・・・列選択トランジスタ、２５・・・配線、３０１〜３０３・・・行配線、３２１〜３２３・・・高耐圧ｐチャネルＭＯＳトランジスタ、３３・・・配線、３４１〜３４３・・・ヒューズ素子、３５１〜３５３・・・トランジスタ型ヒューズ素子、３６１〜３６３・・・行選択トランジスタ、３７・・・配線、３８１〜３８３・・・インバータ、４２・・・ドライバ、４６・・・ドライバ、５０，５０Ａ・・・電流検知回路、５２・・・抵抗、５４・・・増幅回路、５６・・・比較回路、６０・・・制御回路、７０・・・抵抗変化メモリ素子、７２・・・電極、７４・・・電極、７６・・・抵抗変化層、ＢＬ１〜ＢＬ３・・・ビット線、ＷＬ１〜ＷＬ３・・・ワード線、５７・・・比較器、５１・・・カレントミラー
【図１】
0006441251.tif 000002
【図２】
0006441251.tif 000003
【図３】
0006441251.tif 000004
【図４】
0006441251.tif 000005
【図５】
0006441251.tif 000006
【図６】
0006441251.tif 000007
【図７】
0006441251.tif 000008
【図８】
0006441251.tif 000009
【図９】
0006441251.tif 000010
【図１０】
0006441251.tif 000011
【図１１】
0006441251.tif 000012
【図１２】
0006441251.tif 000013
【図１３】
0006441251.tif 000014
【図１４】
0006441251.tif 000015
【図１５】
0006441251.tif 000016
【図１６】
0006441251.tif 000017
【図１７】
0006441251.tif 000018
【図１８】
0006441251.tif 000019
【図１９】
0006441251.tif 000020
【図２０】
0006441251.tif 000021
【図２１】
0006441251.tif 000022
【図２２】
0006441251.tif 000023
【図２３】
0006441251.tif 000024